(57)【要約】【課題】衛生的かつコンパクトに複数のスリッパを整理することが可能となるスリッパホルダーを提供する。【解決手段】壁に設置されるスリッパホルダー１であって、（ａ）裏面同士を合わせた状態のスリッパの中敷部を挟み込むための間隔で略平行に配置され、かつ、当該スリッパの甲被部をそれぞれ支える一対の棒状部材２、３と、（ｂ）前記壁に固定されるフランジ部４１と、当該フランジ部に突設され、前記一対の棒状部材のそれぞれを連結する本体部４３と、を備える接続部材４と、を有することを特徴とする。【選択図】図１
0003212660.tif 000002
【実用新案登録請求の範囲】
【請求項１】
壁に設置されるスリッパホルダーであって、
（ａ）裏面同士を合わせた状態のスリッパの中敷部を挟み込むための間隔で略平行に配置され、かつ、当該スリッパの甲被部をそれぞれ支える一対の棒状部材と、
（ｂ）前記壁に固定されるフランジ部と、当該フランジ部に突設され、前記一対の棒状部材のそれぞれを連結する本体部と、を備える接続部材と、
を有することを特徴とするスリッパホルダー。
【考案の詳細な説明】
【技術分野】
【０００１】
本考案は、壁に設置されるスリッパホルダーに関する。
【背景技術】
【０００２】
室内用の簡易な履物としてスリッパが使用されており、複数のスリッパを整理するための手段として、従来、様々なスリッパ立てやスリッパラックが創作されている。床にスリッパ立てを置くと、床面の使用可能領域が狭くなるし、掃除もしにくい。壁に設置されるスリッパホルダーの例としては、壁内にスリッパ掛けを埋設したものがある（例えば、特許文献１参照）。
【０００３】
スリッパを使用すると、床面に接するスリッパの裏面には粉じんや髪の毛等のゴミが付着する。そこで、スリッパ自体に対する工夫として、床面に接するスリッパの裏面に粉じん等のゴミを回収するための起毛部を設け、床面の清掃を兼ねたスリッパを提案するものもある（例えば、特許文献２参照）。
【先行技術文献】
【特許文献】
【０００４】
【特許文献１】特開平８−６８１９３号公報
【特許文献２】意匠登録第１４０７４１２号公報
【考案の概要】
【考案が解決しようとする課題】
【０００５】
使用前後においてスリッパが乱雑に散らからないための簡易な整理方法として、従来、一足のスリッパのうち、一方のスリッパのつま先部を他のスリッパの甲被部の内部に挿入することがあった。かかる方法によれば、ゴミが付着した一方のスリッパの裏面が、人の足裏が接する他方のスリッパの中敷き部に接触することになり、中敷き部が汚れてしまい不衛生である。特許文献２に開示されるスリッパのように、清掃を兼ねたスリッパを用いる場合には、かかる問題はより顕著である。
【０００６】
また、特許文献１に開示される技術のように、壁内にスリッパ掛けを埋設しようとすると、大工事が必要となり、壁内に十分な収容空間を確保することが難しく、スリッパ裏面の汚れが他のスリッパに移らないようにするためには、スリッパを片足分ずつ並置して収容せざるを得ない。
【０００７】
本考案は、上記課題に鑑みて創作されたものであり、衛生的かつコンパクトに複数のスリッパを整理することが可能となるスリッパホルダーを提供することを目的とする。
【課題を解決するための手段】
【０００８】
本考案の第１の態様は、上記目的を達成するため、
壁に設置されるスリッパホルダーであって、
（ａ）裏面同士を合わせた状態のスリッパの中敷部を挟み込むための間隔で略平行に配置され、かつ、当該スリッパの甲被部をそれぞれ支える一対の棒状部材と、
（ｂ）前記壁に固定されるフランジ部と、当該フランジ部に突設され、前記一対の棒状部材のそれぞれを連結する本体部と、を備える接続部材と、
を有することを特徴とするスリッパホルダー用部品を提供する。
【考案の効果】
【０００９】
本考案によれば、衛生的かつコンパクトに複数のスリッパを整理することが可能となる。
【図面の簡単な説明】
【００１０】
【図１】本考案のスリッパホルダーの実施例１の平面概略図である。
【図２】本考案のスリッパホルダーの実施例１の正面概略図である。
【図３】本考案のスリッパホルダーの実施例１の側面概略図である。
【図４】本考案のスリッパホルダーの実施例１の使用状態説明図である。
【考案を実施するための形態】
【００１１】
以下、本考案の一実施例を図面に基づいて詳細に説明するが、本考案はこれらに限定されるものではない。
【実施例１】
【００１２】
｛構成｝
図１は、本考案のスリッパホルダーの実施例１の平面概略図である。図２は、本考案のスリッパホルダーの実施例１の正面概略図である。また、図３は、本考案のスリッパホルダーの実施例１の側面概略図である。
【００１３】
本考案の実施例１のスリッパホルダー１は、壁に設置して利用されるものであり、複数のスリッパ５を床面から離隔した状態で保持することが可能である。図２に示したように、スリッパホルダー１は、一対の棒状部材２、３と、一対の棒状部材２、３のそれぞれに連結される接続部材４とを有する。
【００１４】
一対の棒状部材２、３は、設置時に、壁側に配置される第１棒状部材２と、これよりも外方（第１棒状部材２よりも壁から離れた位置）に配置される第２棒状部材３とにより構成される。
【００１５】
本実施例においては、それぞれの棒状部材２、３は同一の形状及び寸法を有する丸棒により形成されており、より具体的には、直径１３．５ｍｍ、長さ寸法４８０ｍｍの丸棒により形成されている。
【００１６】
なお、棒状部材２、３の形状及び寸法は、これに限られるものではなく、角棒状、断面多角形状のものであっても良く、また、それぞれの形状及び寸法は同一でなくても良い。
【００１７】
一対の棒状部材２、３は、一定の間隔を隔てて略平行に配置される。それぞれの棒状部材２、３を所定の位置に配置するため、一対の棒状部材２、３のそれぞれは、接続部材４に着脱可能に連結される。
【００１８】
本実施例における接続部材４は、壁に固定されるフランジ部４１と、フランジ部４１に略直角に突設され一対の棒状部材２、３のそれぞれが連結される本体部４３とを備える。すなわち、フランジ部４１を底面として平板上面に置いた状態では、フランジ部４１に対して本体部４３が垂直に立設されるように、本体部４３とフランジ部４１が結合されている。本体部４３の側面には、第１棒状部材２が挿入される第１貫通穴４３１と、第２棒状部材３が挿入される第２貫通穴４３２とが貫通形成されており、フランジ部４１の四隅にはビス穴４１２が形成されている。
【００１９】
本実施例においては、本体部４３は長辺方向（縦方向）に約２８ｍｍ、短辺方向（横方向）に約２２ｍｍで、上下面に湾曲部（Ｒ１５）を有する断面略小判型の棒状の部材であり、フランジ部４１は縦寸法約８０ｍｍ、横寸法約５０ｍｍ、厚さ約３ｍｍの板状の部材である。接続部材４の本体部４３として、単なる丸棒ではなく、両側面に平面部をもつ断面略小判型の部材を採用することにより、当該平面部に貫通穴４３１、４３２を形成し易いというメリットがある。
【００２０】
それぞれの貫通穴４３１、４３２は、スリッパ５の形状・寸法を考慮して、フランジ部４１から所定量離隔した位置に穿設されている。具体的には、貫通穴４３１、４３２は、一足のスリッパ５の裏面５１同士を合わせ、スリッパ５の中敷部５３を一対の棒状部材２、３の間に配置し、スリッパ５の甲被部５２を一対の棒状部材２、３に掛け留めるのに好適な位置に設けられる。
【００２１】
本実施例においては、第１貫通穴４３１はフランジ部表面４１１から約３０ｍｍの位置に設けられ、第２貫通穴４３２はフランジ部表面４１１から約９５ｍｍの位置に設けられている。なお、第２貫通穴４３２から本体部４３先端までの長さは約１５ｍｍである。
【００２２】
接続部材４の本体部４３上面には、第１貫通穴４３１に直交方向から連通する第１ねじ穴４３３が穿設されるとともに、第２貫通穴４３２に直交方向から連通する第２ねじ穴４３４が穿設されている。第１貫通穴４３１に第１棒状部材２を挿入した状態で第１ねじ穴４３３にねじ（図示しない）を挿入して締め付けることにより、接続部材４に対して第１棒状部材２を着脱自在に連結することができる。
【００２３】
また、第２貫通穴４３２に第２棒状部材３を挿入した状態で第２ねじ穴４３４にねじ（図示しない）を挿入して締め付けることにより、接続部材４に対して第２棒状部材３を着脱自在に連結することができる。好ましくは、図１及び図２に示すとおり、接続部材４から左右均等に突出するように、棒状部材２、３のそれぞれが連結される。貫通穴４３１、４３２を形成する場合と同様、本体部４３の下面に平面部を設けることにより、当該平面部にねじ穴４３３、４３４を形成し易いというメリットがある。
【００２４】
スリッパホルダー１は、フランジ部４１を壁面に押し当て、ビス穴４１２に金具（図示しない）を打ち込むことにより、壁面に固定される。かかる状態においては、それぞれの棒状部材２、３は、壁面からそれぞれ所定量ずつ離隔した状態で、一定の間隔を隔てて略平行に配置される。
【００２５】
｛使用方法｝
次に、スリッパホルダー１の使用方法の一例について説明する。
【００２６】
図４は、本考案のスリッパホルダーの実施例１の使用状態説明図である。図４は、スリッパホルダー１を設置した状態を示す。図４では、スリッパ５の保持状態を破線で示す。
【００２７】
本考案のスリッパホルダーの実施例１は、壁に設置されるスリッパホルダー１であって、（ａ）裏面同士を合わせた状態のスリッパ５の中敷部を挟み込むための間隔で略平行に配置され、かつ、スリッパ５の甲被部をそれぞれ支える一対の棒状部材２、３と、（ｂ）壁に固定されるフランジ部４１と、当該フランジ部に突設され、一対の棒状部材２、３のそれぞれを連結する本体部４３と、を備える接続部材４と、を有する。
【００２８】
先ず、上述した方法により、スリッパホルダー１を壁６に固定する。次いで、一足のスリッパ５の裏面５１同士を合わせた状態で把持し、スリッパ５のかかと部５４から棒状部材２、３の間に挿入することにより、図４に示すように、スリッパ５の中敷部５３を棒状部材２、３の間に配置し、スリッパの甲被部５２を棒状部材２、３に掛け留める。棒状部材２、３の間には複数（前記寸法による場合には例えば４足）のスリッパ５を掛け留めることができる。一対となる第１棒状部材２と第２棒状部材３の間隔は、スリッパ５の裏面同士を合わせ、スリッパ５の中敷部を棒状部材２、３の間に配置し、スリッパ５の甲被部を棒状部材２、３に掛けどめてスリッパ５を保持しうる間隔である。
【００２９】
これにより、ゴミが付着したスリッパ５の裏面同士を合わせた状態で、複数のスリッパ５を保持することができるので、衛生的かつコンパクトに複数のスリッパ５を整理することができる。
【００３０】
なお、スリッパ５の中敷部５３を棒状部材２、３の間に配置する方法としては、棒状部材２、３の上方からではなく、側方（棒状部材２、３の延伸方向）から挿入することも可能である。棒状部材２、３は接続部材４に対して着脱自在に取り付けられるので、利用状況に応じて、取り外すこともできるし、より長尺ないし短尺の棒状部材に交換してスリッパの収納可能数を変えることもできる。
【００３１】
｛効果｝
本実施例によれば、ゴミが付着したスリッパの裏面同士を合わせた状態で、複数のスリッパを保持することができるので、衛生的かつコンパクトに複数のスリッパを整理することが可能となる。床面から離隔した位置でスリッパが保持されるため、床面の汚れが付着することなく、床面の使用可能面積を減らすこともなく、また、掃除機や掃除用モップを用いた床面清掃の際の障害とならない。本実施例を構成する棒状部材は、傘掛けや、靴べら掛けとしても利用することができる。
【００３２】
なお、本考案は、上記実施の形態に限定されず、その考案の趣旨を逸脱しない範囲で種々と変形実施が可能である。また、上記各実施の形態の構成要素を考案の趣旨を逸脱しない範囲で任意に組み合わせることができる。
【００３３】
例えば、接続部材に対する棒状部材の連結方法は、ねじ締めに限られず、溶接、ビス留め、ボルト留めその他の固定方法を用いることができる。棒状部材は軽量化のためには中空のものが好適であるが、中実であっても良い。剛性を確保するためにはステンレス等の金属製のものが好適であるが、これに限られないことは言うまでもない。
【００３４】
また、第１棒状部材２と第２棒状部材３とは同じ高さ位置ではなく、奥側（壁側）に配置される第１棒状部材２を相対的に高い位置に配置されるようにしても良い。これにより、棒状部材２、３の間に挟み込まれたスリッパは、低位置側の第２棒状部材３側に傾斜した状態で保持されるため、利用者において、スリッパの挟み込みないし取り出し動作が容易となる。この場合、接続部材４の本体部４３は、高さ位置の異なる第１棒状部材２及び第２棒状部材３のそれぞれを連結して保持するため、フランジ部４１に対して下斜め方向に突設される。
【符号の説明】
【００３５】
１      スリッパホルダー
２      第１棒状部材
３      第２棒状部材
４      接続部材
４１    フランジ部
４１１  フランジ部表面
４１２  ビス穴
４３    本体部
４３１  第１貫通穴
４３２  第２貫通穴
４３３  第１ねじ穴
４３４  第２ねじ穴
５      スリッパ
５１    裏面
５２    甲被部
５３    中敷部
５４    かかと部
６      壁
【図１】
0003212660.tif 000003
【図２】
0003212660.tif 000004
【図３】
0003212660.tif 000005
【図４】
0003212660.tif 000006